(57)【特許請求の範囲】
【請求項１】
（Ａ）モニタ（４）を有する前面（３）を備え；
（Ｂ）容器部材（２）を衛生用品ディスペンサ上に解除可能に取り付けることができ；
（Ｃ）さらにマイクロプロセッサ（１０）を備えてなる、
壁に取り付け可能な衛生用品ディスペンサ用の容器部材（２）であり、
（Ｄ）容器部材（２）がプローブ（１５）を備えていて、それによって電磁波あるいは音波を容器部材（２）の外部に向かって発信および／または外部から受信し得るようにするとともに、発信および／または受信された電磁波あるいは音波に基づいて信号をマイクロプロセッサ（１０）に伝送し；
（Ｅ）マイクロプロセッサ（１０）はプローブ（１５）からこのマイクロプロセッサ（１０）に伝送された信号によって容器部材（２）の近くにおける使用者の存在を検出しそれに従ってモニタ（４）をスイッチオンするようにプログラムされることを特徴とする容器部材。
【請求項２】
容器部材（２）がこの容器部材（２）と結合された衛生用品ディスペンサの機械的あるいは電気的障害を検出するための少なくとも１個の測定プローブ（７）を追加的に備えていてその測定プローブがマイクロプロセッサ（１０）に信号を伝送するようにし、前記測定プローブ（７）から伝送された信号から容器部材（２）と結合された衛生用品ディスペンサの機械的あるいは電気的障害を検出するとともに使用者あるいは保守要員に対して前記障害を除去するための情報および／または指示をモニタ（４）上に表示するように前記マイクロプロセッサ（１０）をプログラムすることを特徴とする請求項１記載の容器部材（２）。
【請求項３】
天蓋（１）として形成されるとともに測定プローブ（７）が前記天蓋（１）の内側に配置されることを特徴とする請求項２記載の容器部材（２）。
【請求項４】
モニタ（４）をタッチパネル式に形成することを特徴とする請求項１ないし３のいずれかに記載の容器部材（２）。
【請求項５】
マイクロプロセッサ（１０）によってモニタ（４）上に少なくとも１つのキーあるいはキーパッドを象徴表示し得るようにすることを特徴とする請求項４記載の容器部材（２）。
【請求項６】
容器部材（２）がスピーカ（１６）を備え、そのスピーカがモニタ（４）と同時にスイッチオンされるようにすることを特徴とする請求項１ないし５のいずれかに記載の容器部材（２）。
【請求項７】
容器部材（２）がスピーカ（１６）を備え、そのスピーカがモニタ（４）と同時にスイッチオンされるようにするとともにマイクロプロセッサ（１０）および／または無線受信装置と結合されるようにすることを特徴とする請求項１ないし６のいずれかに記載容器部材（２）。
【請求項８】
容器部材（２）が施錠手段を備え、それによって使用者が衛生用品ディスペンサから外すかあるいは衛生用品ディスペンサを開放できないようにすることを特徴とする請求項１ないし７のいずれかに記載の容器部材（２）。
【請求項９】
容器部材（２）は衛生用品ディスペンサ上で前面（３）に対して横断方向に嵌合可能であることを特徴とする請求項１ないし７のいずれかに記載の容器部材（２）。
【請求項１０】
使用者がプローブ（１５）から６ｍ未満に接近した際にマイクロプロセッサ（１０）によってモニタ（４）がスイッチオンされることを特徴とする請求項１ないし８のいずれかに記載の容器部材（２）。
【発明の詳細な説明】
【技術分野】
【０００１】
この発明は、請求項１前段に記載の壁に取り付け可能な衛生用品ディスペンサ用の収納容器あるいは容器部材に関する。
【背景技術】
【０００２】
化粧品および衛生用品業界において洗面所内で使用される衛生用品ディスペンサには主に布製タオルディスペンサ、ロール紙ディスペンサ、ウォッシュフォームディスペンサ、トイレットペーパディスペンサ、ならびに香水ディスペンサが含まれる。
【発明の概要】
【発明が解決しようとする課題】
【０００３】
本発明の目的は、（使用者の接近に依存して）自動的にスイッチオンおよびオフすることができるモニタを衛生用品ディスペンサ用の収納容器あるいは容器部材に設けることである。
【課題を解決するための手段】
【０００４】
前記の課題は本発明の請求項１の特徴を備えた衛生用品ディスペンサ用の収納容器あるいは容器部材によって解決される。
【０００５】
本発明によって達成される利点は本発明に係る衛生用品ディスペンサ用の収納容器部材によって主に以下の効果が得られることである：
−  使用者が近くに存在する際にのみモニタがスイッチオンし；
−  モニタ上に静止画あるいは動画による広告を表示することができ；
−  モニタ上に使用者に対する操作マニュアルを表示することができる。
【０００６】
使用者が近くに存在することは収納容器上のプローブによって判定することができ、その際プローブは受動型赤外線センサとして形成することが好適である。プローブのその他の好適な構成例は：
−  超音波；
−  レーダ；または、
−  例えば洗面所のドアに取り付けられていてドアの開放に際して無線信号を発信しその信号を容器部材上のプローブが受信してそれに応じてモニタをスイッチオンするために必要な信号をプローブからマイクロプロセッサに送信する外部スイッチからの無線信号受信方式である。
【０００７】
モニタは使用者がプローブから４ないし６ｍの距離以内に存在している際にスイッチオンすることが好適である。電磁波あるいは音波を包囲する円錐体の円錐角度は１００°ないし１８０°、特に１５０°とされ、その角度の範囲内においてプローブによる捕捉が保証される。
【０００８】
本発明の好適な追加構成について以下に記述する：
好適な構成形態において収納容器あるいは容器部材が天蓋として形成され、天蓋内部に配置された少なくとも１個の測定プローブを追加的に備える。前記天蓋内に配置された測定プローブは衛生用品の量の測定を可能にすることが好適であるとともに：
−  液体容器の残量（例えば洗剤溶液）；
−  衛生用品ディスペンサが完全に機能する状態（スタンバイＯＫ）にあること；
−  ディスペンサ内の衛生用品の残量が無くなりかかっている（例えば布製タイルが終端に近付いている）こと；
−  ディスペンサ内の衛生用品の残量が無くなっていること、
をモニタ上に表示するために適したものである。
【０００９】
測定プローブは機械式センサ、赤外線センサ、あるいは音波センサとして形成することができる。
【００１０】
別の実施形態によれば、前記の少なくとも１個の測定プローブが信号をマイクロプロセッサに送信し、前記測定プローブから送信された信号から天蓋の内部空間に存在する衛生用品ディスペンサの機械的あるいは電気的障害を検出し得るとともに使用者あるいは保守要員に対して前記障害を除去する指示をモニタ上に表示し得るように前記マイクロプロセッサをプログラムする。この構成によって下記の利点を達成することができる：
−  不適正に挿入されたあるいは逸脱した布製タオルを例えば光学センサを使用して適正な位置に移動させることができる；
−  単純な動作障害（例えば布製タオルの詰まり）は使用者が自身で修正することができる；
−  モータ故障あるいはセンサ故障は追加的な障害検索を必要とすることなく保守要員が迅速に修理することができる。
【００１１】
別の実施形態によれば、モニタがタッチパネル式に形成される。マイクロプロセッサによってモニタ上に少なくとも１つのキーあるいはキーパッドを象徴表示し得るようにすることが好適である。それによって以下の利点を達成することができる：
−  データメモリ内に記憶されたシーケンス制御のためのプログラムキー；
−  選択および記憶された数値あるいは予めプログラムされた機能の設定およびリセット；
−  予めプログラムされたシーケンス（機能）を選択するための選択キー；および／または、
−  洗浄プログラムの選択。
【００１２】
さらに別の実施形態によれば、容器部材がスピーカを備え、そのスピーカがモニタと同時にスイッチオンされるようにするとともに好適にはマイクロプロセッサおよび／または無線受信装置と結合されるようにする。それによって下記の利点を達成することができる：
−  データメモリ内あるいは録音装置上に記憶された音楽の再生；
−  使用者あるいは保守要員に対する音声指示。
【００１３】
別の実施形態によれば容器部材が施錠手段を備え、それによって使用者が衛生用品ディスペンサから外すかあるいは衛生用品ディスペンサを開放できないようにする。前記の施錠手段は例えば錠を含むことができる。
【００１４】
別の実施形態によれば、容器部材を衛生用品ディスペンサ上で前面に対して横断方向に嵌合可能にする。
【００１５】
次に本発明およびその追加構成について、添付図面および複数の実施例を参照しながらより詳細に説明する。
【図面の簡単な説明】
【００１６】
【図１】布製タオルディスペンサとして形成された衛生用品ディスペンサ用の本発明に係る容器部材の一実施形態を示した立体図である。
【発明を実施するための形態】
【００１７】
図１に示された実施形態において壁に取り付け可能な衛生用品ディスペンサ用の容器部材２が図示されており、その容器部材２がモニタ４を備えた前面３を有している。衛生用品ディスペンサ（図示されていない）は市販の布製タオルディスペンサとして形成することができる。容器部材２上にはさらにマイクロプロセッサ１０とプローブ１５が取り付けられており、それによって電磁波あるいは音波を容器部材２の外部に向かって発信および／または外部から受信することができ、発信および／または受信した電磁波あるいは音波に基づいて信号をマイクロプロセッサ１０に伝送する。容器部材２は中空部１２を被包していてその中に衛生用品ディスペンサを収納可能であるとともに、開口部６を設けて形成された下面５を有していてそれを介して布製タオル９を環状に抜き出すことができる。
【００１８】
マイクロプロセッサ１０は、プローブ１５からこのマイクロプロセッサ１０に伝送された信号によって容器部材２の近くにおける使用者の存在を検出しそれに従ってモニタ４をスイッチオンするようにプログラムされている。
【００１９】
容器部材２は解除可能に衛生用品ディスペンサ上に固定されるとともに施錠手段として錠１７を備えており、従って使用者が衛生用品ディスペンサから取り外すかあるいは衛生用品ディスペンサを開放することができないようにされている。
【００２０】
容器部材２上に配置され例えば光学センサとして形成された測定プローブ７が適宜にプログラムされたマイクロプロセッサ１０に信号を伝送し、測定プローブ７から伝送された信号によって中空部１２内に存在する布製タオル９の駆動機能の機械的あるいは電気的障害を検出して使用者あるいは保守要員に対して動作障害を除去する指示をモニタ４上に表示する。
【００２１】
モニタ４はタッチパネル式に形成され、マイクロプロセッサ１０によってそのモニタ４上に少なくとも１つのキーあるいはキーパッドを象徴表示することができる。加えて、容器部材２上にスピーカ１６が取り付けられ、そのスピーカはモニタ４と同時にスイッチオンされるとともに例えば音楽を再生するために適したものとされる。
【図１】
0005739161.tif 000002